(57)【要約】  本発明は、ヒトあごを複製する塩基領域を有して、収容装置に印象用トレーまたは付着への挿入断片のための歯科用印象材料のための担体に関する。また、限界は約Ｕ字型の横断面を前記少なくとも形成するために壁により２つの反対する側面に定められる１つ光学エレメントは、塩基領域でおよび／または配置される壁。【選択図】図８
2013532501.tif 000002
【特許請求の範囲】
【請求項１】
収容装置（３０と５６）に、印象用トレーまたは付着への挿入断片のための歯科用印象材料（２８）のための１．Ａ担体、塩基領域（１６、１８、６０）の有ヒトあごを複製し、約Ｕ字型の横断面を形成するために壁（２０、２２、２４、２６、６４、６６）により２つの反対する側面に限界を定められる、ことを特徴とする少なくとも１つ光学エレメント（４０）は塩基領域（１６）で配置される。１８、および／または（６０））壁（２０、２２、２４、２６、６４、６６）。
【請求項２】
請求項１に記載の担体、塩基領域（１６、１８、６０）で光学エレメントの多重度が（４０）および／または配置されることを特徴とする壁（２０、２２、２４、２６、６４、６６）。
【請求項３】
請求項１または２に記載の担体、光学エレメントがそのレンズ、光ファイバー、フィルターおよび組み合わせより選択される（４０）ことを特徴とする。
【請求項４】
請求項１〜３のいずれか１つに記載の担体、ことを特徴とする光学エレメント（４０）さらに電子感知器を有する（４２）。
【請求項５】
請求項４に記載の担体、それが少なくとも１つを含むことを特徴とする保管ユニットまたは処理装置にデータを送信されるためのプラグインの連結。
【請求項６】
請求項１〜５のいずれか１つに記載の担体、ことを特徴とするさらに少なくとも１つ照明方法（４８）は、塩基領域（１６、１８、６０）でおよび／または配置される壁（２０、２２、２４、２６、６４、６６）。
【請求項７】
請求項６に記載の担体、ことを特徴とする少なくとも１つ照明方法（４８）は、その化学発光の成分、ＬＥＤ、ＯＬＥＤ、レーザーＬＥＤおよび組み合わせより選択される。
【請求項８】
請求項のいずれか１つに記載の担体１〜７、担体（１０、１２、１４）がその内側の側面（５０）に対して表面の（６８）を有することをことを特徴とする、それは、シリコーンに増大された遵守を示す。
【請求項９】
請求項１〜８（アクリル酸塩ポリマー、好ましくはポリメタクリル酸メチルからそれが構成されることを特徴とする）のいずれか１つに記載の担体。
【請求項１０】
請求項１〜９（それが射出成形された部分として具体化されることを特徴とする）のいずれか１つに記載の担体。
【請求項１１】
請求項１〜１０（印象用トレー（３０および５６）に固定すること用、それが固定手段（３８）を含むことを特徴とする）のいずれか１つに記載の担体。
【請求項１２】
請求項１〜１１のいずれか１つに記載の担体、ことを特徴とする塩基領域（１６、１８、６０）および／または、壁（２０、２２、２４、２６、６４、６６）は、少なくとも内側の側面（５０）に部分的に映される、を用いて、少なくとも１つ鏡付きでない光学エレメント（４０）。
【請求項１３】
請求項のいずれか１つに記載の担体１〜１２、それがさらに歯科用印象材料（２８）を含むことをことを特徴とする、それは、少なくとも壁（２０、２２、２４、２６、６４、６６）および塩基領域（１６、１８、６０）により定義されたスペース（４３）に部分的に充填される。
【請求項１４】
請求項１３に記載の担体、印象材（２８）が少なくとも１つを含むことを特徴とする発光材料。
【請求項１５】
請求項１３または１４に記載の担体、印象材（２８）が治療可能な印象材であることを特徴とする。
【請求項１６】
請求項１５に記載の担体、領域に印象材（２８）が壁（２０、２２、２４、２６、６４、６６）を少なくとも部分的におよび／または直されることを特徴とする塩基領域（１６、１８、６０）。
【請求項１７】
請求項１〜１６（それが屯服用設計されていることを特徴とする）のいずれか１つに記載の担体。
【発明の詳細な説明】
【技術分野】
【０００１】
本発明は、ヒトあごを複製し、限界が約Ｕ字型の横断面を形成するために壁により２つの反対する側面に定められる塩基領域を有して、収容装置に印象用トレーまたは付着への挿入断片のための歯科用印象材料のための担体に関する。
【背景技術】
【０００２】
この型の担体は、歯科学の分野で一般に知られている。そこで、それらは、患者の生歯の印象の採得用印象材を保持すること用、特に使用される。この終了のために、適した歯科用印象材料は、患者の生歯は押しつけられる前記担体に充填される。印象材が硬化した後、患者の生歯の対応する陰性はまず利用可能である。次いで、石膏を用いて充填することにより、これは陽性を形成するために対応する石膏模型に変換される。次いで、製造（例えば対応する歯代わり、対応する象眼）に歯科専門家はこの陽性を使用できる。
【先行技術文献】
【特許文献】
【０００３】
【特許文献１】国際出願ＰＣＴ／ＥＰ２００９／００６４７４
【発明の概要】
【発明が解決しようとする課題】
【０００４】
事実の結果産生例えば歯代わりは印象のキャストに基づいて行なわれる、精度どれを用いて、例えば、歯代わりは製造できる必ず制限されている。この問題を解決するために、最近の回は、に対してデジタルシステムの提案を多くの場合見た歯科学の分野でカメラ、デジタルシステムはそれに機能するのがよい１以上の歯または完全なあごアーチを捉えるおよびにこれをデジタルデータの形態をした再生する。例として、次いで、インプラントはこのデータに基づいて作ることができる。
【０００５】
ある量の成功はこのような手法の使用により今まで採取されたが、特にキャストされている影、およびまた特定範囲の不十分な照明の結果これらの手法がまたまだ最適な結果を供給しないことが分かった。
【課題を解決するための手段】
【０００６】
これらの問題を解決するために、現在の申込者は、光学基礎および特定の印象材の使用上に測定法の組み合わせに対して基づく方法を開発した。一般的に、印象は、発光印象材を使用し、次いで、光学的手法を用いて測定されて採得される。例として、この方法はには記載されるさらにである（非盲検こと）置いた出願ＰＣＴ／ＥＰ２００９／００６４７４（その全体は参考文献により本明細書に組み込まれる）。
【０００７】
この方法において、発光印象材の使用に加えて、化合物が必ずしも印象用トレーで一様分布をまた有し、空気または他の不純物および介在物の少ない泡さえが完全にないことは、正確な測定結果にさらに内重要でない。このような不規則でしょう他の点では患者の生歯のデジタルデータで、不正確およびエラーに測定法鉛に、最終的に人工器官の生産までちょうど繁殖し、使用できない歯代わりにつながることができた（個々の症例に）、例えば。
【０００８】
それは、印象材が実験室で見つけられた慣用の補助器具を使用して、歯科医またはそれらの助剤により担体または印象用トレーに充填されるべき標準作業方法である。方法において、それは極めて、そうでなければ難しい保証することが不可能持続的均一化合物および泡の必要な欠神の充満。肉眼により特に多くの場合も少ない泡を同定できないので、これはまた回避し、モニターできない（一般に）治療歯科医の一部分上で。長期的な品質管理に関しては、あらかじめ製造することが、初めは上述だった型の担体で印象材の実現可能である。方法において、大いに前述のエラーを除外することができるか、または機械方法により回避することができるかもしれない。しかし、これらに使用できるようにこれらに対応する特性がないので、これは現在知られている担体には問題外である行なうか、対応するセンサーに補助された測定を行なうことができる。
【０００９】
従って、本発明は、初めはそれが対応する前述の印象材による使用に適して、上記測定法に使用できる上記に上述だった型の担体を進展させる目的に基づく。
【００１０】
本発明において、この目的は事実によって達成される少なくとも１つ光学エレメントは、塩基領域でおよび／または配置される壁、好ましくはそれ光学エレメントの多重度は、塩基領域でおよび／または配置される壁および特にそれ光学エレメントはそのレンズ、光ファイバー、フィルターおよび組み合わせより選択される。
【００１１】
この実施形態はそれに有利である適した光学エレメントの使用、のような例えばレンズ、光ファイバー、フィルター、その組み合わせ、光情報が塩基領域をおよび／または通過しているかもしれないことを可能にする重要なロスのない担体の壁。従ってこのよう担体は対応する印象用トレーと共に使用できる、それは発光源をおよび／または装備しているセンサー。ここで、担体は、記載された測定法に適した、非常に透明な目的と見なすことができる（原理に）。他の可能性は事実から構成されることができた例えばそれ、光ファイバーが使用される場合、特定の収集時点にこれらを徹底的に打ち破ることができるかもしれない。後者の症例において、次いで、適したカップリングは有するだろうあることは印象用トレー上で提供した、どれを用いて回収された光情報との結合が送信されられるかもしれない。
【００１２】
本発明の範囲内で、あごを複製する塩基領域は、限界が壁により定められる塩基領域の一部分が複製する中間に理解されるに違いないヒトあご、すなわち荒く話しているＵ字型。これを越えると、塩基領域はいずれか１項形状を印象用トレーにそれを挿入できると規定することができる。純粋なＵ字形に加えて、楕円の半分の形態をした実施形態はこれによって担体のための明白な形状である。
【００１３】
さらなる実施形態において、光学エレメントは、さらに少なくとも保管ユニットまたは処理装置にデータを送信されるための１つのプラグイン連結を好ましくは含む担体による、電子感知器を含む。
【００１４】
担体内に電子感知器の使用の結果、光学情報は、担体で電子感知器により直ちにデジタル情報に変換できる。その結果、これがそれほど敏感でないデジタル情報の光情報の形態でではなく形態をした起こるので、印象材より印象用トレーへの情報伝送においてエラーに対する磁化率は、もう一度減らされる。電子感知器はできる（この終了のために、次いで）を通じて例えば１以上ののプラグインの連結対応する保管ユニットにおよび／または連結される画像またはデータ処理システム（処理装置）。これらは担体自体、またはほかに印象用トレーに配置できる。次いで、特に、後者の変異体に関しては、適した連結に対する準備は、データを送信されるための印象用トレーに、少なくとも１つのコネクター（例えばプラグインの連結）の形態をした行なわれなければならない。
【００１５】
本発明のさらなる実施形態に少なくとも１つ照明方法は、塩基領域でおよび／または配置される壁。
【００１６】
上記測定法ごととでのように対応するデータを記録する目的で、それは、蛍光または燐光の生成用印象材に前もって放射線照射光に、例えば必要である。新規の方法で、これが、今まで印象用トレーで照明方法により標準として起こる。
【００１７】
これに比較して、前述の実施形態は、照明の光が意味するという点でもはや有利ではない有する担体を経験するためにおよび従って、さらに減ずることができない。従って、印象材の直接照明があるおよび、測定される歯の、その結果。
【００１８】
本発明のさらなる実施形態に、少なくとも１つ照明方法は、その化学発光の成分、ＬＥＤ、ＯＬＥＤ、レーザーＬＥＤおよび組み合わせより選択される。
【００１９】
これらの使用はよりより高度に発展した照明方法の白熱の光源に匹敵したまず、より少ないスペースおよび第２にそれらが著しくより少ない熱を開発することをそれらが必要とするという意義深い利点を有する。さらに、このような照明方法も、対応する形状に、より容易に一致できる、のような例えば担体の形状。しかしながら、これらは一般に高い光度を有する。
【００２０】
本発明のさらなる実施形態において、担体は、その内側の側面の表面を有する、どれが増大された遵守を示すかはシリコーンに匹敵した。
【００２１】
この利点は、シリコーンに基づく印象材が付着するということである担体に、より心地よいおよび分離しない担体が修正のための生歯より引き離される場合、担体より例えば−を意図する後者は、泡の形成、およびその上に接続しているイメージングエラーにつながることができた（例えば）。
【００２２】
本発明のさらなる実施形態において、担体はアクリル酸塩ポリマー、好ましくはポリメタクリル酸メチルから構成される。
【００２３】
アクリル酸塩ポリマーの使用、ポリメタクリル酸メチル（ＰＭＭＡ）の特に、担体がプラスチックの透過性のために光学的手法に適して、既により良好ことに有利である。
さらに、ＰＭＭＡは例えば、無毒で、医学に何年も確立された。
【００２４】
本発明のさらなる実施形態において、担体は射出成形された部分として具体化される。
【００２５】
この利点は射出成形方法に容易に担体を作ることができるということである。その結果、担体の産業上の自動産生は可能である。
【００２６】
本発明のさらなる実施形態において、担体は印象用トレーに固定すること用固定手段を含む。
【００２７】
固定手段による実施形態は、安全で固定した方法で印象用トレー上で担体を配置できるという利点を有する。方法で起こる担体に対する力が滑りに他の点では容易につながることができるので、これは印象操作に特に必要である。これは、必然的にもう一度測定手続においてエラーにつながる。さらに、固定手段は、また担体が同一の位置中印象用トレーに必ずしも挿入されることを保証することを可能にする。
【００２８】
本発明のさらなる実施形態に、塩基領域および／または、サイドウォールは、少なくとも内側の側面に部分的に映される、を用いて、少なくとも１つ鏡付きでない光学エレメント。
【００２９】
一旦それが担体、および印象材は位置しているか、単純に再び担体の壁を通って出るのではないことができないか、後者に吸収されるのではない生歯の間のスペースに入ったならば、この実施形態の利点はその光である。従って、この実施形態は、担体および生歯の間のギャップで光度の一因となる。これは、次いでより高い光の強さの結果測定精度を増大する。映すこと少なくとも１つ他の点では、その使用が光学情報の記録用妨害されるか、不可能になるので、光学エレメントはその結果として防がれなければならない。
【００３０】
本発明のさらなる実施形態において、担体は、さらに好ましくは少なくとも１つの発光材料を含む印象材による、歯科用印象材料（それは壁および塩基領域により定義されたスペースに少なくとも部分的に充填される）を含む。
【００３１】
この実施形態は、歯科医または歯科技工士に即座の歯科用印象材料が担体にこのようにして既に供給されているという点で有利である。また、したがって、目止方法をそれらに自ら託する必要はない。従って、担体および化合物の組み合わせは完成あらかじめ作製された一部分として不要な介在物の化合物および自由の一様分布が、供給できる、のような例えば保証されている空気。
【００３２】
本発明のさらなる実施形態において、印象材は治療可能な印象材である。
【００３３】
化合物がデジタルデータに加えて硬化した後、治療可能な印象材の使用は歯科医または歯科専門家に実験目的のためにこれが物理的な印象の準備をまた許可するという点で有利である。
【００３４】
前述の測定の実施形態において、印象材は、少なくとも領域に部分的に壁を直される。
【００３５】
この実施形態の利点は、これがベースプレートによってこれが測定に対する悪影響を有できるので、印象が採得される場合に、患者が噛むのを防ぐことができるということである。さらに、これ測定する壁よりあごアーチの均一のスペーシングを守ることができる、それは次いで測定精度を改善する。
【００３６】
本発明のさらなる実施形態において、担体は屯服用設計されている。
【００３７】
屯服はそれに有利である担体、既に充填されていた歯科用印象材料を用いて任意で、顧客（すなわち歯科医または歯科技工士）に供給できる；後者のものは、本発明（測定法で印象用トレーと共に対応する担体）において、使用し、患者の口内の内部にあった担体を次いで単に処分できる。これは、担体のための清潔にし殺菌工程を省く。その工程は他の点では必要で、は努力およびコストに連結される。しかし、本発明の範囲内で、屯服も理解される場合がある（処分に加えて）平均製造元またはサプライヤーにリターン。
次いで、後者は、担体に工業規模、および印象材によるリサイクル工程の範囲内で詰め替え前記担体上で清潔にならせ滅菌させられ、顧客にそれらを送達する。ここで、担体の適した印、例えばバーコード、チップなどのデジタルデータまたは単純な彫刻により、できる、次いで、過剰再使用が起こらず、担体が、単に使用の所望の数を走って通ることを例えば保証する。この方法は、センサーなどのさらなるコスト鋭意技術を装備している担体には特に便宜的である。
【００３８】
前述のものが特徴とすることは理解されるおよびそれらさらに以下に説明されるそれぞれ規定された組み合わせだけでなく他の組み合わせに使用できるまたは本発明の範囲より逸脱せずに、独力で。
【００３９】
本発明は、選択された例示的な実施形態に基づいて以下に記載され（添付図面と組み合わせた）、より詳細に説明される。
【図面の簡単な説明】
【００４０】
【図１】本発明に記載の担体の実施形態の遠近法の実例。
【図２】本発明に記載の担体のさらなる実施形態の遠近法の実例。
【図３】本発明により担体を保持するのに適した印象用トレーの遠近法の実例。
【図４】図１の実例に一致する挿入された担体による図３の印象用トレーの遠近法の実例。
【図５】本発明に記載の２つの担体による図３の印象用トレーの遠近法の側面視が、上部および下顎のための図１の実例に対応して、そこに保持した。
【図６】歯科用印象材料による図１の担体の遠近法の実例が、そこに保持した。
【図７】７Ｃに図７Ａ異なる領域にそれぞれ配置されている概略的に絵入りの光学エレメントによる、図１に従う本発明に記載の担体の遠近法の実例を示すこと：図７Ｂ、および図において生歯に７Ｃ面する内側の側面の壁において壁の両側に、またはその両側に対して図７Ａにおいて塩基領域で継続的に。
【図８】本発明に記載の担体のさらなる実施形態の部分的に遠近法の実例、それは１つで配置される印象用トレーの、およびさらに終了は、その塩基領域の照明方法を有する、および。
【発明を実施するための形態】
【００４１】
図１および４〜７に示された本発明に記載の担体全体は、引用符号１０により意味される。一方、図２および３に示された担体は引用符号１２を有する。また、図８で示された担体は引用符号１４を有する。
【００４２】
図１および２に示された担体１０および１２は、本発明に記載の担体の２つの主要例示的な実施形態を示す。いずれの担体１０および１２は塩基領域１６および１８をそれぞれ有する。それは本質的にヒトあごの形状を複製する。担体１０の塩基領域１６の限界は、壁２０により、および壁２２による内部にあごに関して外部に横に定められる。図２の担体１２は、相応して外部に対して壁２４および内部に対して壁２６を含む。
【００４３】
ここで、担体１０および担体１２の間の内方へ位置していた壁２２および２６の違いをはっきり見い出すことは可能である。図２の担体１２の壁２６が、外方に位置していた壁２４に関して平行のプロファイルを有している間に、図１の担体１０の内方へ位置していた壁２２は、まずある。そのプロファイルは囲まれる生歯の歯が溝と同様に保持される上記に具体化される、塩基領域１６の進行、外方に位置していた壁２０に具体化された平行だがさらなる程度にそれは、患者の口蓋に平行に適応させられる。従って、図１に関して、壁２６が端２７を用いて上部に向けて終了している間に、内方へ位置していた壁２２は上方へ閉まっている。
【００４４】
２４および２６と同様に塩基領域１６および１８、また横に限界を定める壁２０および２２によるそれらの実施形態の結果、それぞれ、いずれの担体１０および１２はそれぞれの塩基領域１６および１８のアーチ形のプロファイルに垂直に見られるようなＵ字型の横断面のプロファイルをそれぞれ有する。
【００４５】
１０および１２が用いられている担体は、患者においてヒトあごの印象を採得する。この終了のために、それらはそうである図６と組み合わせたより詳細に以下に記載され、清澄性の根拠の間、図１〜５、７および８に示されない印象材２８を用いて提供した。さらに、この終了のために、担体１０または１２は印象用トレー３０上に配置されるか、または図３〜５に基づいてより詳細に以下に説明されるのでそこに挿入されなければならない。
【００４６】
図３において、印象用トレー３０は独力で示される。この印象用トレー３０はハンドル３２および保持具３４を含む。それはホールドに担体１０を機能する。印象用トレー３０のこの例示的な実施形態において、この保持具３４は、担体１０の塩基領域１６に一致し、その上にこの塩基領域１６が配置できる領域３６を含む。順序にさらに印象用トレー３０に対する担体１０の安全な支配を保証する、後者のものは、保持具３４の付加的な固定手段を有する。現在の例示的な実施形態において、担体１０の対応する掛けがねで締まるピン（いずれか１項よりより細部にこの場合示されない）は挿入できる開口部３８に掛けがねをかけるように、これらの固定手段は具体化される。
【００４７】
しかし、掛けがねで締まる開口部３８の代わりに例示的な方法でここで示された、保持具３４および担体１０の関係のための先行技術より知られている他のあらゆる慣用の結合方法担体および印象用トレーの間の相応して速く快適な関係を許可するまたある実現可能。溝形、スクリューにはおよび磁気連結または同様例示的な方法でここで上述である。
【００４８】
挿入された担体１０および印象用トレー３０の対応する組み合わせは、図４で見ることができる。
【００４９】
しかし、印象が単に１つの採得されることを図４に一致するこの構造配列が単に可能にするので患者のあご、他の実施例は、ホールドに許可されるために保持具３４を扶養するその対向面のさらなる担体１０。これは図５で示される。その結果、それは、現在上部および下顎の効果を同時に与えることができる。
【００５０】
先行する図、既に上述だった印象材２８、およびまた本発明に記載の電子感知器４２および光学エレメント４０において、清澄性の根拠の間示されなかった。
【００５１】
ここで、印象材２８は、図６に基づいてまずより詳細に議論されるのがよい。このような、印象材２８には治療可能なことが好ましくは。
【００５２】
初めは既に説明されていたように、本発明はに対してあるに対してある測定法電子感知器４２間の相互作用、として図に、より詳細に記載される７Ｃ、および対応する印象材２８。
【００５３】
測定法を行なうために、印象材２８による担体１０は、適切な印象用トレー（例えば印象用トレー３０）に挿入される。担体１０が本発明に透明であるので、印象用トレー３０は印象材を照らすための照明成分、および印象材より出現する光を測定するための光学センサーを含む。測定するために例えばあご、印象用トレーは、担体に配置された化合物を照らし、例えば、燐光に前記化合物の原因となる。次いで、ユーザは、印象材に測定されるために歯またはあごを押しつける。次いで、印象用トレーは印象材より出現する光を測定するために使用される。ここで、測定された光は、それ（特定の発光（すなわち１つの単位体積当たりの光学収率）を通じてあごのディジタル化されたモデルには判定できる）による、化合物の発光より直接由来できる。しかし、また、それは実現可能であるに特に良好照明につながる発光材料と、画像情報の形態をした測定される構造に対する意見を比較する、およびに画像情報に基づいてデジタルモデルを算定する。さらに、方法も前述の測定の組み合わせに基づくことができる。
【００５４】
例えば、ここで、それは、印象材が空気などの不純物または介在物がないべきこの方法に内重要でない。ここで、最も少ない気泡介在物さえ（それらは肉眼と同一視できない）、重要なエラーの潜在的な原因である。それは、従来のデータ、そしてその結果また生歯の形に似せて不正確につながることができる。
【００５５】
植込剤または人工補装具の産生中に続いて起こるエラーにつながることができるので、これは非常に不適当である。それは患者のための不快感につながり、使用できないインプラントにつながってもよい（例えば）。
【００５６】
同一の根拠の間、印象材２８が担体１０または１２に一様に導入されることはまた重要である、すなわちこれまた最小に測定の間の不正確を減らす。
【００５７】
両方は歯科医または歯科技工士に供給される場合に、対応する担体１０または１２に既に充填されている印象材２８によって減らすことができる。
【００５８】
印象材２８は、壁２０および２２、および図６より見ることができるのと同じくらい塩基領域１６により定義されたスペース４３に充填される。後者がこの好適な実施形態で２つの領域にさらに分けられることは、その結果として印象材２８の異なる暗くなった領域より見られるかもしれない。これらの領域は、部分的に治癒させられた領域４４および治癒させられていないか、より治癒させられなかった領域４６から構成される。部分的に治癒させられた領域４４（また、それは塩基領域１６（それはここで見ることができない）に沿って伸長する）は、前記患者が印象材２８に彼らのあごを押し込む場合に、塩基領域１６まで、または内方へ位置していた壁２２または外方に位置していた壁２０の上に患者がそれらの歯をもたらすことができるのを妨げる。
【００５９】
対応する印象材２８が好適な蛍光を発する材料または燐光を発する材料を用いて活用される場合、これは特に必要である。これは、既に上記記載されていたように、対応する放射線照射が使用された後、印象材２８により再度放射される光の量が、距離を判定するという事実による。印象材２８が電子感知器４２および患者（ここで示されなかった）の歯の間に存在しない場合（例えば患者の歯が塩基領域１６の上に直接あるので）、この場合距離値を判定することは可能ではない。患者のあごを測定する場合、これはエラーおよび特に不正確につながる。
【００６０】
しかし、部分的に治癒させられた領域４４が存在する場合、歯は通行の後についにこの領域４４を満たすによりないさらに治癒させられた領域４６。次いで、前記前の領域は、塩基領域１６まで例えばさらなる侵入を防ぐ。
【００６１】
既に上記ものとして、適した電子感知器４２はあごの画像を生じることに必要である。前記センサーは、歯における影、または既に上記記載されていた発光印象材より由来し、照明方法４８により放射される光により引き起こされる光を登録する。これらの照明方法４８はより詳細に以下に記載される。
【００６２】
本発明の一実施形態において、電子感知器４２は、印象用トレー３０における既にありえる。それは現在の図においていずれか１項よりより細部に示されない。
【００６３】
この症例に関しては、次いで、図７Ａおよび７Ｂに、より詳細に記載されるので、担体１０および１２は、対応する光学エレメント４０の多重度を有する。本発明の好適な実施形態に、これらの光学エレメント４０できる例えばこれらのレンズ、光ファイバー、フィルターまたは組み合わせである。利用された電子感知器４２の型および使用に応じると、これらの光学エレメントはこのような方法で配置できる例えばそれ図７Ａに示されるように、それらは担体１０の塩基領域１６に配置される。ここで、光学エレメントは、環状目的として図７に概略的に示される。
【００６４】
光学エレメント４０の配置に対するさらなるオプションは単におよび／または壁２０のこれらを配置することにある２２．ここで、図７Ｂは、光学エレメントが外方に位置する壁２０いずれの、および内方へ位置する壁２２におけるある実施形態を示す。
【００６５】
図７Ａおよび７Ｂに示される実施形態に加えて、塩基領域１６いずれの、および壁２０にの光学エレメント４０がおよび／または配置される実施形態に対する準備も、本発明内に天然に行なわれる２２．
【００６６】
光学エレメント４０による担体１０のこれらの前述の例示的な実施形態は、光に備える。それは、光学エレメント４０および例えば患者（いずれか１項よりより細部にここで示されなかった）の歯の間に、上記反射の後に、または電子感知器４２に重要な喪失のない光学エレメント４０を通過しているかもしれないように印象材により放射された発光光用放射線照射である。
【００６７】
さらに、それは、また光学エレメント４０として光ファイバーを使用することに単に担体１０の内側の側面５０に存在する、光学エレメント４０の一様に分布した配置、およびそのその結果形成される光のための対応する入り口には、特に実現可能である。これに比較して、出口（それは光ファイバーのもう１つの端部までに形成される）は、少なくともオプチカルファイバーバンドルとして具体化される。次いで、このオプチカルファイバーバンドル（いずれか１項よりより細部にここで示されない）は対応する電子感知器４２に徹底的に打ち破ることができる。単に内側の側面５０は識別可能な光学エレメント４０を備えているこの実施形態に対応するイラストレーションまたはその末端は、図において、壁２０および２２のための例示的な方法に７Ｃ示される。そこで、内部壁５０の反対に位置する外側の側面５２が光学エレメント４０のいずれか１項末端を含まないと分かることは可能である。
【００６８】
しかし、上記の例示的な実施形態とは異なり、電子感知器４２も、これらの電子感知器が担体１０または１２に同様に含まれており、従って、光学エレメント４０の一部分を形成する上記に配置できる。
【００６９】
次いで、対応する実施形態は、壁２０および２２用図において例示的な方法で７Ｃ示された１つと同様に設計されるだろう。この場合、電子感知器４２は、一方の担体１０の所望の点で内側の側面５０に分布する個々のセンサーの多重度でありえる。しかし、光ファイバーまたはほかにレンズが活用されれば、実施形態はまた実現可能であるどれに光学エレメント４０形態少なくとも１つ群、その光学情報は少なくとも１つに伝えられる一般の電子感知器４２。
【００７０】
電子感知器４２が担体１０で光学エレメント４０の一部分である例示的な実施形態は、また回収されたデータの送信によって電子感知器４２は印象用トレー３０で対応点で配置される前述の例示的な実施形態と異なる。
【００７１】
最初に述べた例示的な実施形態において、第２の実施形態において、データがデジタルデータの既に形態をした送信されられている間に、データは対応する光のいまだ形態をした光コネクターを通してまず送信されられる。電子感知器４２の型に応じたところ、既に少なくともある程度までこのデータを加工することができるかもしれない。
【００７２】
ここで、第２の実施形態はデータ伝送を考慮して好適であるので、担体１０および印象用トレー３０の間のより単純なデータ伝送コネクターに加えて、このデジタルデータ伝送は、またエラーを受けにくい。
【００７３】
光学またはデジタルデータを送信されること用いずれか１項よりより細部にここで示されないコネクターは、図３に目に見えて、印象用トレー３０に対する領域３６の終了に、正面５４に配置できる（例えば）。
【００７４】
７Ｃに図７Ａの実施形態に関して継続して、塩基領域１６に対する準備は、好適な実施形態にさらにおよび／または行なわれる壁２０および／または２２に少なくとも内側の側面５０の部分で映される。放射線照射であるまたは、従って、発光々は、壁２０および２２によりおよび／または反射される吸収ではなく塩基領域１６。従って、精度を増大して、測定に利用可能な合成の量の光はより大きい。しかし、この場合重要なことは、これが測定に妨げになるので、光学エレメント４２の不要に映すことが省略されるということである。
【００７５】
図８は本発明により別の担体１４を示す。それは担体１０および１２に類似していて、印象用トレー４６に分離可能に付与されている。
【００７６】
印象用トレー５６は、図３〜５に示された印象用トレー３０に匹敵する。しかし、それは担体１４の保持用領域３６を有していない。図８のこの例示的な実施形態において、印象用トレー５６に留め具は連結端５８を介して起こる。それは印象用トレー３０の正面５４に匹敵し、領域３６に関して上記行われた説明に従う付加的な固定手段を有する。
【００７７】
担体１０および１２のあらゆる先行する実例とは異なり、図８において担体１４より真下に見ることができる。ここで、４８が塩基領域６０に配置されることを照明が意味すると分かることは可能である。これら照明は、４８が発動ライン６２を介して連結されることを意味するに制御および電源（いずれか１項よりより細部にここで示されない）に互いにおよび／または。これらは担体１４いずれの、および印象用トレー５６にの配置できる。後者の症例において、印象用トレー５６で制御による発動ライン６２間の連結は、連結端５８（例えばプラグインの連結）に連結時点（いずれか１項よりより細部にここで示されない）を通じて行なわれる。
【００７８】
照明は４８（それは環状目的としてここで示される）を意味する、ＬＥＤが好ましくは、あるいはほかにＯＬＥＤ、これらのレーザーＬＥＤまたは組み合わせ。１つの実施形態が照明の具体化にまた備えるとさらに好ましかった化学発光の成分として、彼らのもの（いずれの）に対して、およびと共に４８を意味する前述の照明方法。
【００７９】
担体１４の塩基領域６０に４８が配置されることを照明は意味する図８に示される実施形態に加えて、照明に対する準備は、本発明の範囲内で同様に行なわれる意味するに配置される外方に位置する壁６４のいずれかおよび／または内方へ位置する壁６６、と同様に壁６４におよび／またはいずれ６６および塩基領域６０に。
【００８０】
照明により放射された光が担体１０および１２のためのイラストレーションに従う、４８を意味するように、また患者の生歯の歯に衝突する内側の側面５０で配置されたまたは印象材２８上で、照明の出口穴は４８を意味する内側の側面５０で配置されなければならない。これに対する代わりとして、それは、また照明の光にとって可能である対応する光学エレメント４０によりパスに４８を意味する、のような例えば光ファイバー、レンズ、フィルター、これら（それは内側の側面５０で位置している）の組み合わせ。さらなる他の実施例において、それは、また担体１４の材料には実現可能か、または担体１０および１２のうち、に透明な設計を有する。
【００８１】
アクリル酸塩ポリマー、好ましくはポリメタクリル酸メチル（ＰＭＭＡ）はこれに対する好適なオプションとして上述であるのがよい。この結果、照明の対応する光は、後者が担体１４に、またはその外側の側面６７で配置される場合、４８がこれにより出現するかもしれないことを意味する。
【００８２】
適した材質選定に加えて、担体１０、１２および１４に対する準備は、本発明の範囲内でさらに行なわれるに好ましくは射出成形された部分として具体化される。その結果、対応する鉱工業生産は可能になる。
【００８３】
印象材２８が対応する担体１０、１２および１４に使用される場合、シリコーンに基づいた印象材２８が多くの場合活用されるので、担体１０、１２および１４は、好適な実施形態に、それらの内側の側面５０（図１は、それは有することを確かめること）の表面６８を備えているシリコーンに遵守を増大した。これは、印象材２８が担体１０または１２より不注意に分離するのを防ぐ。
【００８４】
本発明の一実施形態において、上記示された担体１０、１２および１４は、繰り返し再利用可能な目的として具体化できる。しかし、一方、それらも、好ましくは屯服用設計できる。
【００８５】
後者の好適な実施形態は、後者のものが、既に上記説明されていたように、非画一性および不要な介在物がないように、メーカーが印象材２８による、担体１０、１２または１４を既に充填できるという点で有利である。次いで、顧客（すなわち歯科医、歯科専門家）は、本発明において、対応する印象用トレー３０または５６による前記担体を使用し、単に、対応する印象データの採取後のそれらを処分できる。掃除および消毒、それは時間を消費し、高価である、注出される。
【００８６】
構築その上の、さらに１つの実施形態がまたそれ自身の実施形態として製造元は印象用トレー３０または５６、担体１０、１２または１４、および印象材２８の完全セットを既に産生する考慮に入るとさらに好ましかった。
【００８７】
次いで、後者は、同様に歯科医または歯科技工士に供給できる、次いで、この人は使用の後に同様にこれを処分できるまたは、電子機器を考慮して含んでいたそこに、リサイクル計画の範囲内に製造元にそれを返す。
【００８８】
本発明の範囲内で、このようなリサイクル計画は、また印象材２８による、上記担体１０、１２または１４には実現可能である。
【図１】
2013532501.tif 000003
【図２】
2013532501.tif 000004
【図３】
2013532501.tif 000005
【図４】
2013532501.tif 000006
【図５】
2013532501.tif 000007
【図６】
2013532501.tif 000008
【図７Ａ】
2013532501.tif 000009
【図７Ｂ】
2013532501.tif 000010
【図７Ｃ】
2013532501.tif 000011
【図８】
2013532501.tif 000012
【国際調査報告】
2013532501.tif 000013
2013532501.tif 000014
2013532501.tif 000015
2013532501.tif 000016
2013532501.tif 000017
2013532501.tif 000018